(57)【要約】【課題】外装物品に対して吸収性物品の止着部を容易かつ確実に止着する。【解決手段】吸収性物品１は、略シート状の本体部２、および、本体部２の長手方向の両側の端部に設けられる止着部４を備える。止着部４は、本体部２に部分的に接合されるシート部４１および２つの止着体４２を備える。シート部４１は、幅方向の両端部において本体部２に接合される２つの第１接合部４１１、２つの第１接合部４１１のほぼ中央において本体部２に接合される第２接合部４１２、および、２つの第１接合部４１１の間において長手方向に関して全体に亘って本体部２から離間可能とされた２つの離間部４１３を備える。吸収性物品１では、着用時に離間部４１３に指を挿入することにより、止着体４２の位置を的確に把握し、薄いシート部４１のみを介して止着体４２を押圧することができるため、止着部４を使い捨ておむつに対して容易かつ確実に止着することができる。【選択図】図３
2006198123.tif 000002
【特許請求の範囲】
【請求項１】
着用者からの排泄物を受ける吸収性物品であって、
吸収体、前記吸収体の着用者側の主面を覆うトップシート、および、前記吸収体のもう一方の主面を覆うバックシートを有する本体部と、
前記本体部の長手方向の少なくとも一方の端部において前記本体部の外側に設けられるとともに着用者に着用される外装物品の着用者側に止着される止着部と、
を備え、
前記止着部が、
前記本体部に部分的に接合され、少なくとも前記長手方向の端部側の部位が前記本体部から離間可能とされるシート部と、
前記シート部の前記本体部とは反対側の面上に設けられた止着体と、
を備えることを特徴とする吸収性物品。
【請求項２】
請求項１に記載の吸収性物品であって、
前記止着部が、前記本体部の外側の領域のうち前記吸収体が存在する領域に設けられることを特徴とする吸収性物品。
【請求項３】
請求項１または２に記載の吸収性物品であって、
前記シート部が、
前記長手方向に垂直な幅方向に関して所定の間隔にて前記本体部に接合された２つの接合部と、
前記２つの接合部の間において前記長手方向に関して全体に亘って前記本体部から離間可能とされた離間部と、
を備えることを特徴とする吸収性物品。
【請求項４】
請求項１ないし３のいずれかに記載の吸収性物品であって、
前記シート部が、前記幅方向に関して少なくとも３カ所で前記本体部に接合されることを特徴とする吸収性物品。
【請求項５】
請求項１ないし４のいずれかに記載の吸収性物品であって、
前記シート部が、前記本体部とは別の部材であることを特徴とする吸収性物品。
【請求項６】
請求項１ないし５のいずれかに記載の吸収性物品であって、
前記本体部の前記長手方向の両側の端部のそれぞれに前記止着部が設けられることを特徴とする吸収性物品。
【請求項７】
請求項１ないし６のいずれかに記載の吸収性物品であって、
前記止着部が、パンツタイプの外装物品の着用者側に止着されることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００３】
このような補助吸収具を使い捨ておむつに取り付ける際には、使い捨ておむつのトップシート（すなわち、着用者側のシート）に、補助吸収具のバックシートに設けられた面ファスナ等の止着部材を押圧して止着することが行われている。例えば、特許文献１では、吸収性物品（補助吸収具）の縦方向（長手方向）の末端領域に係止ファスナ等を設けることにより、吸収性物品が取り付けられた使い捨ておむつを着用する際に、吸収性物品が縒れたりたくれることを抑制する技術が開示されている。
【特許文献１】特開２０００−１３９９８２号公報
【発明の開示】
【発明が解決しようとする課題】
【０００４】
ところで、特許文献１の吸収性物品では、係止ファスナがバックシートに直接接合されているため、吸収性物品を使い捨ておむつの内側に取り付ける際、吸収性物品のトップシート側において係止ファスナに対応する部位を使い捨ておむつに対して押圧する必要がある。しかしながら、吸収性物品のトップシート側からでは係止ファスナの位置を正確に知ることは難しく、また、トップシートと係止ファスナとの間に吸収コアが存在する場合には係止ファスナを十分な力で押圧することも容易でないため、吸収性物品を所望の取付位置に確実に取り付けられていないことがあった。
【０００５】
特に、着用者自身がパンツタイプの使い捨ておむつに吸収性物品を取り付ける際には、通常、膝の辺りまでを引き上げられた状態の使い捨ておむつの内側に、２つに折り曲げられた状態の吸収性物品を上から挿入し、その後、指先等で吸収コアを介して係止ファスナを使い捨ておむつに対して押圧するため、使い捨ておむつが押された方向に伸びる等して力が加えにくく、吸収性物品を確実に取り付けることがさらに困難となってしまう。このため、使い捨ておむつ等の外装物品の内側において、吸収性物品が捩れたりずれて吸収性物品から尿等が漏出してしまう可能性がある。
【０００６】
本発明は、上記課題に鑑みなされたものであり、外装物品に対して吸収性物品の止着部を容易かつ確実に止着することを目的としている。
【課題を解決するための手段】
【０００７】
請求項１に記載の発明は、着用者からの排泄物を受ける吸収性物品であって、吸収体、前記吸収体の着用者側の主面を覆うトップシート、および、前記吸収体のもう一方の主面を覆うバックシートを有する本体部と、前記本体部の長手方向の少なくとも一方の端部において前記本体部の外側に設けられるとともに着用者に着用される外装物品の着用者側に止着される止着部とを備え、前記止着部が、前記本体部に部分的に接合され、少なくとも前記長手方向の端部側の部位が前記本体部から離間可能とされるシート部と、前記シート部の前記本体部とは反対側の面上に設けられた止着体とを備える。
【０００８】
請求項２に記載の発明は、請求項１に記載の吸収性物品であって、前記止着部が、前記本体部の外側の領域のうち前記吸収体が存在する領域に設けられる。
【０００９】
請求項３に記載の発明は、請求項１または２に記載の吸収性物品であって、前記シート部が、前記長手方向に垂直な幅方向に関して所定の間隔にて前記本体部に接合された２つの接合部と、前記２つの接合部の間において前記長手方向に関して全体に亘って前記本体部から離間可能とされた離間部とを備える。
【００１０】
請求項４に記載の発明は、請求項１ないし３のいずれかに記載の吸収性物品であって、前記シート部が、前記幅方向に関して少なくとも３カ所で前記本体部に接合される。
【００１１】
請求項５に記載の発明は、請求項１ないし４のいずれかに記載の吸収性物品であって、前記シート部が、前記本体部とは別の部材である。
【００１２】
請求項６に記載の発明は、請求項１ないし５のいずれかに記載の吸収性物品であって、前記本体部の前記長手方向の両側の端部のそれぞれに前記止着部が設けられる。
【００１３】
請求項７に記載の発明は、請求項１ないし６のいずれかに記載の吸収性物品であって、前記止着部が、パンツタイプの外装物品の着用者側に止着される。
【発明の効果】
【００１４】
本発明では、止着部を外装物品に対して容易かつ確実に止着することができる。請求項２の発明では、吸収体に妨げられることなく止着部を止着することができ、請求項３の発明では、吸収性物品を容易に把持することができる。
【００１５】
請求項４の発明では、吸収性物品を外装物品に対してより強固に取り付けることができる。請求項５の発明では、吸収性物品の製造を簡素化することができる。請求項６の発明では、吸収性物品を外装物品に対してより確実に取り付けることができる。
【発明を実施するための最良の形態】
【００１６】
図１は、本発明の一の実施の形態に係る吸収性物品１の構成を示す平面図である。吸収性物品１は、パンツタイプの使い捨ておむつの内側（すなわち、着用者側）に取り付けられて着用者からの排泄物を受ける尿取りパッド等の補助吸収具である。
【００１７】
図１に示すように、吸収性物品１は、略シート状の本体部２、および、本体部２の長手方向（すなわち、図１中のＹ方向）のほぼ全長に亘って本体部２の長手方向に垂直な幅方向（すなわち、Ｘ方向）の両側に設けられた一対の側壁部３を備える。図１では、本体部２の（＋Ｚ）側の主面が、着用者に接する面となる。また、吸収性物品１は、本体部２の長手方向の両側の端部のそれぞれにおいて本体部２の外側（すなわち、着用者側とは反対側である（−Ｚ）側）に設けられる止着部４を備える。
【００１８】
図２は、吸収性物品１を図１中に示すＡ−Ａの位置でＹ方向に垂直な面で切断した断面図である。図１および図２に示すように、一対の側壁部３のそれぞれには、長手方向に伸びる弾性部材３１が接合されており、図１に示すように吸収性物品１を広げた状態では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接する立体ギャザー（いわゆる、レッグギャザー）が形成される。なお、各側壁部３には複数の弾性部材３１が設けられてもよい。
【００１９】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。弾性部材３１としては、ポリウレタン糸、ポリウレタンフィルム、天然ゴム等が用いられる。
【００２０】
図１および図２に示すように、本体部２は、吸収体である吸収コア２２、吸収コア２２の着用者側（すなわち、（＋Ｚ）側）の主面を覆うトップシート２１、および、吸収コア２２のもう一方の主面を覆うバックシート２３を備える。トップシート２１およびバックシート２３は、ホットメルト接着剤等により吸収コア２２の周囲にて互いに接合され、吸収コア２２の側方には側壁部３が接合される。
【００２１】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２２】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２３】
バックシート２３は撥水性または不透液性の不織布であり、トップシート２１を透過した水分、および、吸収コア２２に一旦吸収された水分が、本体部２の着用者側とは反対側や幅方向の両側にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２４】
図３は、トップシート２１および側壁部３を内側にして長手方向の略中央部において２つに折り曲げられた吸収性物品１の斜視図である。図２および図３に示すように、止着部４は、本体部２の外側（すなわち、着用者側とは反対側）の領域のうち吸収コア２２が存在する領域に設けられており、幅方向に伸びるとともに本体部２のバックシート２３に部分的に接合されるシート部４１、および、シート部４１の本体部２とは反対側の面上に設けられた２つの止着体４２を備える。
【００２５】
シート部４１は、本体部２とは別の部材であり、例えば、トップシート２１やバックシート２３と同じ材料である親水性や撥水性の不織布により形成される。また、シート部４１は伸縮性を有する材料により形成されてもよい。シート部４１は、幅方向に関して３カ所で本体部２のバックシート２３に接合されており、本体部２の幅方向の両端部においてバックシート２３に接合される２つの第１接合部４１１、２つの第１接合部４１１のほぼ中央においてバックシート２３に接合される第２接合部４１２、および、２つの第１接合部４１１の間（すなわち、各第１接合部４１１と第２接合部４１２との間）において長手方向に関して全体に亘ってバックシート２３から離間可能とされた２つの離間部４１３を備える。シート部４１は、第１接合部４１１および第２接合部４１２において、長手方向に関して全体に亘ってバックシート２３に接合される。
【００２６】
止着体４２は、微小なフック部材を多数有する面ファスナであり、着用者に着用される外装物品である使い捨ておむつに吸収性物品１が取り付けられる際に、使い捨ておむつの着用者側の不織布や布地中の繊維群に着脱可能に止着される。
【００２７】
次に、着用者自身がパンツタイプの使い捨ておむつに吸収性物品１を取り付ける際の動作について説明する。吸収性物品１を取り付ける際には、まず、図３に示すように、トップシート２１を内側にして２つに折り曲げられた状態の吸収性物品１に対して、バックシート２３と２つの止着部４の離間部４１３との間に、図３中の上側（すなわち、本体部２の長手方向の端部側）から着用者の片手の指が挿入される。例えば、一方の止着部４の２つの離間部４１３にはそれぞれ親指と人差し指が挿入され、他方の止着部４の２つの離間部４１３にはそれぞれ薬指と小指が挿入される。また、一方の止着部４に親指と小指が挿入され、他方の止着部４にその他の３本の指が挿入されてもよい。
【００２８】
続いて、本体部２の長手方向の両端部を互いに当接させるようにして吸収性物品１を片手で把持し、膝の辺りまでを引き上げられた状態の使い捨ておむつの内側に、２つに折り曲げられた状態の吸収性物品１を折り曲げ部を先にして挿入する。そして、吸収性物品１を所望の取付位置まで挿入した後、一方の止着部４に挿入された指で当該止着部４の止着体４２を使い捨ておむつに対して押圧し、当該止着部４を使い捨ておむつの所定の位置（例えば、着用者の背側に対向する部位）に止着する。
【００２９】
一方の止着部４の止着が完了すると、止着済みの止着部４に挿入していた指を抜き、他方の止着部４を、使い捨ておむつの内側において止着済みの止着部４から離れる方向へと移動させ（すなわち、２つ折りにされている吸収性物品１を広げ）、他方の止着部４に挿入された指で止着体４２を使い捨ておむつの所定の位置（例えば、着用者の腹側に対向する部位）に押圧して止着する。これにより、吸収性物品１は使い捨ておむつの内側に取り付けられ、その後、着用者がパンツタイプの使い捨ておむつを腰部の方向へ引き上げることにより、使い捨ておむつの着用が完了する。
【００３０】
以上に説明したように、吸収性物品１では、止着部４が本体部２に部分的に接合されており、本体部２の長手方向の端部側の部位が本体部２から離間可能とされているため、使い捨ておむつに吸収性物品１を取り付ける際に、止着体４２が設けられた止着部４に直接指をかけることができる。このため、止着体４２の位置を的確に把握することができ、さらに、厚さが厚くまた不均一である吸収コア２２を介することなく、吸収コア２２に比べて薄いシート部４１のみを介して止着体４２を使い捨ておむつに押圧することができる。その結果、止着体４２に十分な力を加えて止着部４を使い捨ておむつに対して容易かつ確実に止着することができ、使い捨ておむつの内側において吸収性物品１がずれたり捩れることを防止してずれや捩れ等による吸収性物品１からの尿等の漏出を防止することができる。また、吸収性物品１では、本体部２の長手方向の両側の端部のそれぞれに止着部４が設けられるため、吸収性物品１を使い捨ておむつに対してより確実に取り付けることができる。
【００３１】
吸収性物品１では、止着部４が本体部２の外側の領域のうち吸収コア２２が存在する領域（すなわち、吸収コア２２と重なる領域）に設けられる。このような場合であっても、吸収性物品１では、止着部４に直接指をかけることにより、吸収コア２２に妨げられることなく止着部４を止着することができる。また、止着部４が吸収コア２２と重なる領域に設けられることにより、使い捨ておむつに取り付けられた状態の吸収性物品１において、吸収コア２２の動きを制限してずれや捩れ等を防止することができるため、吸収性物品１を使い捨ておむつに対してより強固に取り付けることができる。
【００３２】
吸収性物品１では、止着部４のシート部４１が、幅方向に関して３カ所（すなわち、２つの第１接合部４１１および第２接合部４１２）で本体部２のバックシート２３に接合されることにより、シート部４１のバックシート２３からの離間をある程度制限して吸収コア２２の動きを制限することができるため、吸収性物品１を使い捨ておむつに対してさらに強固に取り付けることができる。
【００３３】
吸収性物品１では、止着部４のシート部４１が、２つの第１接合部４１１の間において長手方向に関して全体に亘って本体部２から離間可能とされた離間部４１３を備えているため、吸収性物品１を取り扱う際に、指を付け根近傍まで離間部４１３に挿入することができ、片手で吸収性物品１を容易に把持することができる。さらに、シート部４１が第２接合部４１２においても本体部２のバックシート２３に接合されていることにより、止着部４に挿入した指がシート部４１とバックシート２３との間に挟まれるため、吸収性物品１をより容易に把持することができる。その結果、吸収性物品１の止着部４を使い捨ておむつに対してより容易に止着することができ、さらに、一方の止着部４を止着した後、２つ折りにされた吸収性物品１を容易に広げて他方の止着部４を止着することができる。なお、着用者の身体状況等に合わせて、吸収性物品１の把持および使い捨ておむつへの取り付けは、両手により行われてもよい。
【００３４】
このように、吸収性物品１は、容易に把持することができ、止着部４を使い捨ておむつ等の外装物品に対して容易かつ確実に止着することができることから、（いわゆるオープンタイプよりも）パンツタイプの使い捨ておむつの内側に取り付けられる尿取りパッド等の補助吸収具に特に適しており、吸収性物品１を利用することにより、着用者自身が着用途上のパンツタイプの使い捨ておむつに対して吸収性物品１を容易かつ確実に取り付けることが可能となる。
【００３５】
また、吸収性物品１では、止着部４のシート部４１が本体部２とは別の部材とされることにより、本体部２の形成途上において止着部４を形成する必要がなく、本体部２の形成後に止着部４をバックシート２３上に接合することにより止着部４が設けられるため、吸収性物品１の製造を簡素化することができる。
【００３６】
以上、本発明の実施の形態について説明してきたが、本発明は上記実施の形態に限定されるものではなく、様々な変更が可能である。
【００３７】
例えば、吸収性物品１では、止着部４の止着体４２がホットメルト接着剤等の粘着剤であってもよく、この場合、使い捨ておむつ等に取り付けられる前の吸収性物品１では、止着体４２を覆うように剥離テープが設けられる。また、止着部４全体が面ファスナにより形成されていてもよく、この場合、面ファスナは、本体部２に部分的に接合されて本体部２から離間可能とされるシート部４１、および、シート部４１の本体部２とは反対側に設けられた止着体４２の双方の役割を果たす。
【００３８】
吸収性物品１を容易に把持するという観点からは、シート部４１が離間部４１３において長手方向に関して全体に亘って本体部２から離間可能とされることが好ましいが、使い捨ておむつに対して止着部４を容易かつ確実に止着するという観点からは、シート部４１において少なくとも本体部２の長手方向の端部側の部位（すなわち、図３中のシート部４１の上側のエッジ近傍の部位）が本体部２から離間可能とされていればよく、例えば、図３中のシート部４１の下側のエッジは本体部２に接合されていてもよい。
【００３９】
シート部４１の２つの第１接合部４１１は、必ずしも幅方向の両端部において本体部２に接合される必要はなく、幅方向に関して所定の間隔にて本体部２に接合されていればよい。また、第２接合部４１２は、必ずしも２つの第１接合部４１１のほぼ中央において本体部２に接合されている必要はなく、第２接合部４１２を挟む２つの離間部４１３とバックシート２３との間に挿入される指の本数が異なる場合等、吸収性物品１の使用状況に合わせていずれか一方の第１接合部４１１側に偏って設けられてもよい。シート部４１は、第１接合部４１１および第２接合部４１２において、長手方向に関して全体に亘って本体部２に接合される必要はなく、長手方向に関して断続的に、あるいは、長手方向の１カ所において本体部２に接合されていればよい。
【００４０】
止着部４のシート部４１は、吸収性物品１を使い捨ておむつにより強固に取り付けるという観点からは、幅方向に関して少なくとも３カ所で本体部２に接合されることがより好ましいが、吸収性物品１を容易に把持して使い捨ておむつに取り付けるという観点からは、第２接合部４１２が省略されて２つの第１接合部４１１において本体部２に接合されてもよく、また、使い捨ておむつに対して止着部４を容易かつ確実に止着するという観点からは、例えば、第１接合部４１１および第２接合部４１２が省略され、図３中のシート部４１の下側のエッジ近傍においてのみ本体部２に接合されてもよい。
【００４１】
吸収性物品１の製造の簡素化という観点からは、止着部４のシート部４１は本体部２とは別の部材であることが好ましいが、シート部４１が本体部２と同一の部材で形成される場合であっても、止着部４の使い捨ておむつに対する容易かつ確実な止着を実現することができる。図４は、止着部のシート部が本体部と同一の部材で形成された吸収性物品の例を示す図であり、吸収性物品を幅方向に垂直な面で切断した断面図である。
【００４２】
図４に示す吸収性物品１ａでは、トップシート２１と接合される前のバックシート２３において、長手方向の端部が、幅方向に伸びる折り目にて一旦吸収コア２２側に折り返された後、再度折り返されて止着部４ａのシート部４１ａが形成される。シート部４１ａを形成する折り重ねられたバックシート２３の部位は、互いに対向する面においてホットメルト接着剤等により接合されており、外側には止着体４２が設けられる。この場合、止着部４ａのシート部４１ａは、本体部２の長手方向の端部側とは反対側の部位において、幅方向に関して全体に亘って本体部２に実質的に接合された状態となっている。なお、シート部４１ａは、幅方向の両端部においてバックシート２３上に接合されてもよく、さらに、当該２つの接合部の間の１カ所以上においてバックシート２３に接合されてもよい。
【００４３】
また、吸収性物品では、本体部２の長手方向の端部の吸収コア２２が存在しない部位において、トップシート２１とバックシート２３との接合が一部省略されてバックシート２３がトップシート２１と離間可能とされ、バックシート２３上の当該離間可能な領域に止着体４２が設けられることにより、止着部４が形成されてもよい。この場合も、バックシート２３の一部が止着部４のシート部として利用されることになる。
【００４４】
吸収性物品１を使い捨ておむつに対してより確実に取り付けるという観点からは、本体部２の長手方向の両側の端部に止着部４が設けられることが好ましいが、止着部４が本体部２の少なくとも一方の端部に設けられることにより、使い捨ておむつに対して止着部４を容易かつ確実に止着して吸収性物品１を確実に取り付けることができる。この場合、止着部４は、吸収性物品１の着用者の背側に対向する部位に設けられることがより好ましい。これにより、吸収性物品１の使い捨ておむつへの取り付けの際に止着体４２に力を加えにくく、また、吸収性物品１が取り付けられた使い捨ておむつの着用時に手が届きにくい背側において吸収性物品１の捩れやずれを抑制することができる。
【００４５】
上記実施の形態に係る吸収性物品は、着用者の腹側に当接する部位と背側に当接する部位とを腰回りで止着して着用するオープンタイプの使い捨ておむつ、布製の失禁パンツ、その他様々な外装物品に取り付けられる補助吸収具として利用されてもよい。
【図面の簡単な説明】
【００４６】
【図１】吸収性物品の平面図である。
【図２】吸収性物品の断面図である。
【図３】吸収性物品の斜視図である。
【図４】吸収性物品の他の例を示す断面図である。
【符号の説明】
【００４７】
１，１ａ    吸収性物品
２    本体部
２１    トップシート
２２    吸収コア
２３    バックシート
４，４ａ    止着部
４１，４１ａ    シート部
４２    止着体
４１１    第１接合部
４１３    離間部
【図１】
2006198123.tif 000003
【図２】
2006198123.tif 000004
【図３】
2006198123.tif 000005
【図４】
2006198123.tif 000006